(57)【要約】  【解決手段】  レセプタクルコネクタ部品は、コネクタハウジング（１）と、このハウジング内に配置された複数列のレセプタクル接点端子（２）とを有する。各レセプタクル接点端子は、予荷重ヘッド（５）を備えた接点部分（４）を有する２つの単一信号ビーム接点（３）を有する。前記コネクタハウジングは、前記接点端子の接点部分に対するアクセスを提供する複数列の開口（７）を備えた前壁を有する。前記コネクタハウジングは、複数列の予荷重隆起（８）を有し、この予荷重隆起は、前記開口の対向する側面において前記前壁の内側側面に位置される。この予荷重隆起は、前記予荷重ヘッドと協働して、所定の予荷重位置における各接点端子の単一ビーム接点の接点部分を支持する。【選択図】図３
2007531976.tif 000002
【特許請求の範囲】
【請求項１】
コネクタハウジングおよびこのハウジング内に配置された複数列のレセプタクル接点端子を有してなり、各レセプタクル接点端子は、予荷重ヘッドを有する接点部分を備えた２つの単一ビーム接点を有し、前記コネクタハウジングは、前記接点端子の接点部分へのアクセスを提供する複数列の開口を備えた前壁を有し、前記コネクタハウジングは、複数列の予荷重隆起を備えており、前記予荷重隆起は、前記開口の対向する側面で前壁の内側側面に位置しており、前記予荷重隆起は、前記予荷重ヘッドと協働して、所定の予荷重位置における各接点端子の単一ビーム接点の接点部分を支持することを特徴とするレセプタクルコネクタ部品。
【請求項２】
１つのレセプタクル接点端子の前記２つの単一ビーム接点は、対向する方向に延びる予荷重ヘッドを具備しており、さらに各予荷重隆起は、開口の列の少なくとも中央から前記開口の通路の一側に、横方向かつ下方向に延びる傾斜表面を具備し、開口の対向側面における前記予荷重隆起の傾斜表面は、対向する方向に横方向に延び、前記傾斜表面は、接点端子の対向する方向に向いた予荷重ヘッドと協働することを特徴とする請求項１記載のレセプタクルコネクタ部品。
【請求項３】
前記予荷重隆起は、それぞれ、列方向に対応する開口の―側に沿って延びる支持延長部を有し、その対応する開口の対向する側面における予荷重隆起の支持延長部は、対応する開口の対向する側面において互いに向かって方向付けられており、前記支持延長部は、前記予荷重ヘッドを支持することを特徴とする請求項２に記載のレセプタクルコネクタ部品。
【請求項４】
前記予荷重隆起は、通常、Ｖ字形の予荷重隆起であり、さらにこのＶ字形の先端は、前記開口から離れる向きに指向されることを特徴とする請求項３記載のレセプタクルコネクタ部品。
【請求項５】
隣接した開口の隣接した側面における前記Ｖ字形予荷重隆起は、それぞれ２つの隣接した開口の間に位置された１つのＶ字形隆起として形成され、前記１つのＶ字形隆起の傾斜表面は、レセプタクル接点端子の列における２つの隣接したレセプタクル接点端子の予荷重ヘッドと協働することを特徴とする請求項４記載のレセプタクルコネクタ部品。
【請求項６】
２つの隣接した開口の間に位置した各Ｖ字形隆起は、４つの支持延長部を有し、それぞれ２つの支持延長部は、開口の対向する側面に沿って列方向に延びていることを特徴とする請求項５に記載のレセプタクルコネクタ部品。
【請求項７】
前記予荷重隆起の傾斜表面は、異なる角度で下方に延びる第１および第２区分を有し、前記第２区分は、前記第１区分より急角度で延びていることを特徴とする請求項３記載のレセプタクルコネクタ部品。
【請求項８】
前記コネクタハウジングは、列方向に延びる側壁を有し、この少なくとも１つの側壁は、レセプタクル接点端子の接点部分を受けるための窓を有していることを特徴とする請求項１に記載のレセプタクルコネクタ部品。
【請求項９】
前記コネクタハウジングは、列方向に対して横方向に延びる横方向側壁を有し、この横方向側壁の少なくとも１つは、レセプタクル接点端子の接点部分を受けるための窓を有することを特徴とする請求項８に記載のレセプタクルコネクタ部品。
【請求項１０】
コネクタハウジングと、このハウジング内に配置されたレセプタクル接点端子とを有してなり、このレセプタクル接点端子は、２つの単一ビーム接点を有し、このそれぞれの単一ビーム接点は、それぞれの予荷重ヘッドを備えたそれぞれの接点部分を有し、前記コネクタハウジングは、前記接点部分へのアクセスを提供する開口を備えた前壁を有し、前記コネクタハウジングは、１対の予荷重を備え、この予荷重隆起は、前記開口の対向する側面において前記前壁の内側側面に位置し、この予荷重隆起は、前記予荷重ヘッドと協働して所定の予荷重位置において単一ビーム接点の接点部分を支持することを特徴とするレセプタクルコネクタ部品。
【請求項１１】
前記２つの単一ビーム接点は、対向する方向に延びる予荷重ヘッドを有することを特徴とする請求項１０記載のレセプタクルコネクタ部品。
【請求項１２】
それぞれの前記予荷重隆起は、少なくとも前記開口の中央から前記開口の側面に、横方向かつ下方向に延びる傾斜表面を有することを特徴とする請求項１１記載のレセプタクルコネクタ部品。
【請求項１３】
前記予荷重隆起の傾斜表面は、対向する方向で横方向に延び、前記傾斜表面は、前記接点端子の対向する方向に向けられた指向された予荷重ヘッドと協働することを特徴とする請求項１２記載のレセプタクルコネクタ。
【請求項１４】
前記それぞれの予荷重隆起は、前記開口の側面に沿って延びる支持延長部を有し、この支持延長部は、前記開口の対向する側面において互いの方向に向って指向されており、前記支持延長部は、前記予荷重ヘッドを支持していることを特徴とする請求項１１記載のレセプタクルコネクタ。
【請求項１５】
それぞれの予荷重隆起は、通常、Ｖ字形であり、さらに、そのＶ字形の先端は、前記開口から離れる方向に指向されていることを特徴とする請求項１４記載のレセプタクルコネクタ部品。
【請求項１６】
前記予荷重隆起の傾斜表面は、異なる角度で下方に延びる第１および第２区分を有し、前記第２区分は、前記第１区分より急角度で延びていることを特徴とする請求項１２記載のレセプタクルコネクタ部品。
【請求項１７】
前記コネクタハウジングは、列方向に延びる側壁を有し、この少なくとも１つの側壁は、レセプタクル接点端子の接点部分を受けるための窓を有することを特徴とする請求項１０記載のレセプタクルコネクタ部品。
【請求項１８】
前記コネクタハウジングは、前記列方向に対して横方向に延びる横方向の側壁を有し、この横方向側壁の少なくとも１つは、レセプタクル接点端子の接点部分を受けるための窓を有することを特徴とする請求項１７記載のレセプタクルコネクタ部品。
【発明の詳細な説明】
【技術分野】
【０００１】
この発明は、一般的に、電気コネクタに関する。より特別には、この発明は、高速レセプタクルコネクタ部品に関する。
【背景技術】
【０００２】
エレクトロニクスの速度の増加に伴って、高速通信が可能である電気コネクタが望まれる。電気コネクタは、信号接点を使用する電子装置間の信号接続を提供する。より一層普及するようになる電子装置の小型化および高速電子通信では、信号接点は非常に近接して離間されよう。多くの場合、信号接点は、非常に近接して離間されるので、信号の完全性が問題になる。
【発明の開示】
【発明が解決しようとする課題】
【０００３】
信号の完全性を改善する方法の１つは、接点の接点領域におけるプラスチック材料を取り除くことである。この方法では、空気が、接点の接点領域の主要な絶縁体である。しかしながら、コネクタ部品の接点領域におけるプラスチック材料を減少することは、信号接点の接点部分の位置決めおよび支持に関する問題を惹起する。したがって、信号接点の接点部分の保証された支持を維持する一方で、プラスチック材料を減少するという高速電気コネクタ設計の必要性が存在する。
【課題を解決するための手段】
【０００４】
この発明は、高速レセプタクルコネクタ部品を提供することによって、前述した必要性を満たすものであり、その接点端子の接点領域における全てのプラスチック材料が、取り除かれる。この発明の概念によれば、レセプタクルコネクタ部品は、コネクタハウジング、およびこのハウジング内に配置されたレセプタクル接点端子の複数列を有して提供される。このレセプタクル接点端子は、それぞれ、予荷重ヘッドを備えた接点部分を有する２つの単一ビーム接点を有しており、さらに、そのコネクタハウジングは、接点端子の接点部分へのアクセスを提供する複数列の開口を備えた前壁を有する。具体的には、このコネクタハウジングは、複数列の予荷重隆起を有し、この予荷重隆起は、その開口の対向する側面の前壁の内側側面に配置されており、その予荷重隆起は、前記予荷重ヘッドと協働して、所定の予荷重位置における各接点端子の単一ビーム接点の接点部分を支持する。
【発明を実施するための最良の形態】
【０００５】
この発明は、この発明によるレセプタクルコネクタ部品の例証的実施例を示す図面に対する言及によってさらに説明される。
【０００６】
図面を参照して、この発明によるレセプタクルコネクタ部品の実施例が示されており、図１−３に示されるコネクタハウジング１、および図４Ａおよび４Ｂに示される複数列のレセプタクル接点端子２を有する。図５−８は、ハウジング１内に接点端子２を挿入する組立段階の間における１つの列の接点端子２を備えたコネクタハウジング１の断面を示している。図面では、コネクタハウジング１は、説明目的のためだけに１側において開いていることを示している。通常は、側壁は存在する。
【０００７】
各レセプタクル接点端子２は、その接点先端における予荷重ヘッド５を備えた接点部分４を有する２つの単一ビーム接点３を有する。図４Ｂにおける接点端子２の列の側面図で見ることができるように、接点部分は、一種のハンマーヘッド形を有し、１つの接点端子２の単一ビーム接点の予荷重ヘッド５は、その列方向に沿って対向する方向に延びる。
【０００８】
コネクタハウジング１は、開口７の複数列を備えた前壁６を有し、この開口７は、接点端子２の接点部分４へのアクセスを提供する。さらに、コネクタハウジング１は、開口７の対向側面で前壁６の内側側面に位置された複数列の予荷重隆起８を備えている。以下に説明されるように、予荷重隆起８は、予荷重ヘッド５と協働して、図８において示される所定の予荷重位置における各接点端子２の単ビーム接点２の接点部分４を支持する。図面に示される実施例では、１つのＶ字形の予荷重隆起８は、それぞれの隣接した２つの開口７間に位置する。このＶ字形の隆起８の先端は、開口７から離れる方向に指向される。このように、Ｖ字形の隆起８は、それぞれ、開口７の列の中央線から開口の列の一側まで、横方向で下方への方角に延びる２つの傾斜表面９および１０を示している。注目されるべきことは、横方向は列方向に対する横断を意味し、また、図２および８に示されるように上方から下方側への視面を意味することである。
【０００９】
図示された実施例において、１つのＶ字形の予荷重隆起８は、それぞれ２つの隣接した開口７の間に位置するが、予荷重隆起の異なる実施例および形状が、横方向および下方への方角に同じ様に延びる傾斜表面９、１０を供与することが可能であることは明らかである。例えば、分離されたＶ字形の隆起は、それぞれが傾斜表面９、１０を有するものを設けることができよる。そのようなＶ字形の隆起８は、図１の平面図の上側、下側で見ることができる。さらなる代案の分離した予荷重隆起を設けることができたので、一方の予荷重隆起は、傾斜表面９を有し、他の予荷重隆起は、傾斜表面１０を有する。後者の場合においては、傾斜表面９、１０は、開口７の完全な横断方向に沿って延びることができた。
【００１０】
好ましくは、Ｖ字形の予荷重隆起８は、４つの支持延長部１１、１２、を有し、それぞれ２つの支持延長部１１、１２は、開口７における対向側面に沿う列方向に延びる。このように、各開口７は、それぞれ、互いの方へ開口の対向側に向けられた、４つの支持延長部１１、１２によって境を接している。
【００１１】
図面に示される実施例において、Ｖ字形の予荷重隆起の傾斜表面９、１０は、異なる角度で下方へ延びる第１および第２区分１３、１４を有する。図２および８の断面において見ることができるように、例えば、その第２区分１４は、第１区分１３に比べてより急角度に下方に延びる。
【００１２】
図５−８は、記述されたようにレセプタクルコネクタ部品の組立の後続する段階を示しており、その組立中に、接点端子２の列は、コネクタハウジング１内に挿入される。図５の断面において、接点端子２の中央列は、挿入工程の第１段階にある。注目されるべきことは、接点端子の列は、米国特許第６，６５２，３１８号に記述されているような組立を用意することができ、その端子は絶縁材料のホルダー１５によって相互に連結されている。接点部分４は、接点先端でわずかに開口しており、その結果、Ｖ字形の隆起８の先端を接点部分４の間に受けることができる。図６の断面において、接点部分４の予荷重ヘッド５は、対応する開口７の両側におけるＶ字形の隆起８の傾斜表面９、１０の第１区分１３と接合している。コネクタハウジング１内への接点端子２の列のさらなる挿入の間に、接点部分４は、さらに、予荷重ヘッド５が、さらに、傾斜表面９、１０に沿って下方に移動するように開く。挿入工程の最後の部分においては、接点部分４の予荷重ヘッド５は、図８に特に示されるように、Ｖ字形の隆起８の支持延長部１１で受けられる。図９は、図８におけるようなコネクタハウジング１の断面を示し、あたかも接続ピンが、対応する開口７を介して挿入されたかのように、接点部分４が、外方に移動される。この接触位置において、予荷重ヘッド５は、支持延長部１１、１２から離昇する。
【００１３】
図８に示されるように、接点端子２の最終位置において、接点部分４は、保証された予荷重で正確に支持され、接点部分４の接点領域は、いかなるプラスチック材料も全くない。このように、接点端子２の信号完全性性能は改善される。さらに、列方向における開口７の側面に沿って延びる、支持延長部１１、１２を備えたＶ字形の予荷重隆起８の設計は、レセプタクルコネクタ部品のすべての部品の製造公差の全範囲内における予圧位置に接点部分４の信頼できる支持を保証する。
【００１４】
図示されたレセプタクルコネクタ部品の実施例において、接点部分のいかなる干渉、特に、その接点先端部分は、コネクタハウジング１の側壁１７における窓１６を備えることによって回避される。これらの窓１６は、レセプタクル接点端子の隣接する列の端子２の接点部分を受ける。同様に、窓１８は、そのうちの１つだけが図面に示されているが、コネクタハウジング１の横方向の側壁１９に設けられる。図ｌ０は、側壁１７における窓１６および横方向の側壁１９における窓１８の存在を例証している。
【００１５】
先行の例証的実施例は、単に説明の目的で提供されており、発明の限定として解釈されるものではないことは、理解されるべきである。この発明は、従属する請求項の範囲内であるように、すべての機能的に等価の構成に拡張される。
【図面の簡単な説明】
【００１６】
【図１】この発明によるレセプタクルコネクタ部品の代表的な実施例のコネクタハウジングの背面側の平面図。
【図２】図１のII−II線によるコネクタハウジングの断面図。
【図３】図１のコネクタハウジングの斜視図。
【図４Ａ】図１のコネクタハウジング内に設置される１列のレセプタクル接点端子の平面図。
【図４Ｂ】図１のコネクタハウジング内に設置される１列のレセプタクル接点端子の側面図。
【図５】１列のレセプタクル接点端子を挿入する組立工程の間の、図１のコネクタハウジングの断面図。
【図６】前記レセプタクル接点端子の接点部分がその予荷重隆起と接合している図５に対応する断面図。
【図７】１列のレセプタクル接点端子がハウジング内にさらに挿入されている図５に対応する断面図。
【図８】１列のレセプタクル接点端子がコネクタハウジング内に完全に挿入される図５に対応する断面図。
【図９】接点端子の接点部分が、あたかもプラグ信号または接地接点が挿入されたかのような位置に示されている図８に対応する断面図。
【図１０】コネクタハウジングの斜視図。
【図１】
2007531976.tif 000003
【図２】
2007531976.tif 000004
【図３】
2007531976.tif 000005
【図４Ａ】
2007531976.tif 000006
【図４Ｂ】
2007531976.tif 000007
【図５】
2007531976.tif 000008
【図６】
2007531976.tif 000009
【図７】
2007531976.tif 000010
【図８】
2007531976.tif 000011
【図９】
2007531976.tif 000012
【図１０】
2007531976.tif 000013
【国際調査報告】
2007531976.tif 000014
2007531976.tif 000015
2007531976.tif 000016